(57)【要約】【課題】アイロンに関し、ヒータによって加熱されるベースから受ける熱影響による把手体の広がりを抑えるとともに、耐衝撃性、及び外観を向上させることを目的とする。【解決手段】ベースカバーの側面に溝部を形成するとともに、把手体の内側面に突出した爪部を設け、把手体の内側面で把手体の爪部をベースカバーの溝部へ嵌合させたものである。【選択図】　図３
2004073710.tif 000002
【特許請求の範囲】
【請求項１】
埋設したヒータにより加熱されるベースと、前記ベースの上方に配設したベースカバーと、前記ベースカバーを覆うように配設され、上部に握り部を一体成形した把手体とを具備し、前記ベースカバーの側面に溝部を形成するとともに、前記把手体の内側面に突出した爪部を設け、前記把手体の内側面で前記把手体の前記爪部を前記ベースカバーの前記溝部へ嵌合させたアイロン。
【請求項２】
把手体をベースカバーに、その側面全周を覆うように外接させた請求項１記載のアイロン。
【発明の詳細な説明】
【０００１】
【発明の属する技術分野】
本発明は衣類等のしわ伸ばしを行うアイロンに関するものである。
【０００２】
【従来の技術】
従来、この種のアイロンは、図５〜７に示すように構成されていた。以下、その構成について説明する。
【０００３】
図５〜７において、ヒータ１１を埋設するベース１２を形成し、ベース１２の上方にベースカバー１３を配置し、ベースカバー１３の上方に上部に握り部１５を一体成形した把手体１４を配置している。
【０００４】
ベースカバー１３には外周水平部に溝部１６を設けており、把手体１４の下端面より下方に突出させた爪部１７を嵌合させていた。これにより、ヒータ１１加熱時における把手体１４の熱変形による広がりを防止することができる。また、以上の構成により、ベースカバー１３と把手体１４とで熱膨張係数の異なる樹脂材料の使用を可能としている。
【０００５】
【発明が解決しようとする課題】
しかしながら、このような従来の構成では、把手体の開き防止対策としてベースカバーの外周水平部に溝部を形成し、把手体底部に設けた爪部を真上から嵌合させているため、アイロン後部のように把手体をベースカバー側面全体に外接するように覆う箇所については、把手体の開き防止対策が実施できなかった。そのため、長時間のアイロン掛けによりベースからの熱により把手体後部が外側に開き、アイロン掛けしている衣類を傷める可能性があった。
【０００６】
同時に、アイロン後部を除く、把手体がベースカバーの外周部を覆うことができない箇所については、アイロン本体の強度を保持することが困難なものとなっていた。すなわち、ベースカバーをフェノール樹脂等の耐熱性は高いが耐衝撃性の低い材料で形成すると、アイロン掛けを行う際に、ベースカバー側面が衝撃を受けたときにベースカバーの欠けや割れが発生し、発生した欠けや割れた箇所がアイロン掛けする衣類を傷める可能性があった。
【０００７】
また、ベースカバーに使用しているフェノール樹脂は黒色で形成されており、その上部にポリプロピレン樹脂等の明度の高い色で着色、形成された把手体の爪部が数箇所嵌合することとなり、色調の相違や隙間から把手体の爪部が見える等、外観上非常に見苦しいものとなっていた。
【０００８】
本発明は上記課題を解決するもので、ヒータによって加熱されるベースから受ける熱影響による把手体の広がりを抑えるとともに、ベースカバーの外郭を把手体が覆うことにより耐衝撃性、及び外観を向上させることを目的としている。
【０００９】
【課題を解決するための手段】
本発明は上記目的を達成するために、ベースカバーの側面に溝部を形成するとともに、把手体の内側面に突出した爪部を設け、把手体の内側面で把手体の爪部をベースカバーの溝部へ嵌合させたものである。
【００１０】
【発明の実施の形態】
本発明の請求項１に記載の発明は、埋設したヒータにより加熱されるベースと、前記ベースの上方に配設したベースカバーと、前記ベースカバーを覆うように配設され、上部に握り部を一体成形した把手体とを具備し、前記ベースカバーの側面に溝部を形成するとともに、前記把手体の内側面に突出した爪部を設け、前記把手体の内側面で前記把手体の前記爪部を前記ベースカバーの前記溝部へ嵌合させたものであり、これにより、把手体をベースカバーの下端まで側面全体に外接するように覆うような場合においても、把手体の広がりを抑えることができる。
【００１１】
本発明の請求項２に記載の発明は、請求項１に記載のアイロンにおいて、把手体をベースカバーに、その側面全周を覆うように外接させたものであり、これにより、把手体の広がりを抑えるとともに、ベースカバーの外側全周を把手体が覆うことにより耐衝撃性および外観を向上させることができる。
【００１２】
【実施例】
以下、本発明の実施例について、図面を参照して説明する。
【００１３】
（実施例１）
本実施例は、図１〜３に示すように、１はヒータ２を埋設したベース、３は前記ベースの上方に配設したベースカバー、４は前記ベースカバー３を覆うように配設し、上部に握り部５を一体成形した把手体である。図１におけるＡ−Ａ断面を示す図３に示すように、本実施例のアイロン後部においては、前記把手体４の内側の面に突出した爪部７を設け、前記把手体４の内側面で前記爪部７を前記ベースカバー３の側面に形成した溝部６へ上方より嵌合させてある。なお、図３には左右の片側のみの記載にとどめてあるが、反対側も同様の嵌合構造としてある。
【００１４】
上記構成において動作、作用を説明すると、アイロン掛けをする場合に使用者は、ヒータ１によりベース２が熱せられた状態にてアイロン掛けを開始し、布のしわを伸ばすために、必要に応じてアイロンを自在に移動させることになる。そして、アイロン掛けの休止時や収納時にはアイロンを立てて置く機会が多くあり、転倒時におけるアイロンの損傷を防ぐ手段として外郭を耐衝撃性の高い材料で構成することが望ましい。
【００１５】
そこで、本実施例では、熱せられるベース２のすぐ上に位置するベースカバー３はフェノール樹脂等の耐熱性に優れた樹脂材料により形成し、その外側を、ポリプロピレン樹脂等の耐衝撃性の優れた樹脂材料で形成された把手体４で覆うことにより、外部より加わる衝撃からアイロン本体の損傷を防ぐように構成してある。しかし、ヒータ１によって加熱されたベース２の熱による影響を、把手体４も受けることになり、熱膨張係数の高い樹脂材料で形成している把手体４がベースカバー３と比較して大きく変形することになる。
【００１６】
しかし、ベースカバー３の側面に設けた溝部６に、把手体４の内側の面に突出するように設けた爪部７を上方より嵌合させることにより、組み立て時における作業性を損なうことなく把手体４の熱による広がりを抑制することができる。
【００１７】
なお、構成する溝部６と爪部７は１箇所で構成する必要はなく、溝部６については外周に１つ連続した溝部６を形成し、そこに把手体４の内側面に突出するように複数箇所形成した爪部７を嵌合させることや、溝部６と爪部７を複数対形成し嵌合させることも可能であり、ベースカバー３の形状に合わせた自在な配置を可能としている。
【００１８】
（実施例２）
図２〜４に示すように、この実施例２においては、把手体４はベースカバー３に、その側面全周を覆うように外接させたところが実施例１と異なる点であり、他の構成については実施例１と同様であり、説明は省略する。
【００１９】
本実施例では、実施例１の動作、作用に加えて、把手体４をポリプロピレン等の着色が自由に行なえる樹脂材料で形成し、かつ、ベースカバー３の側面全周を覆うように外接させているので、外観となる成形品の色を自由に選択することが可能となるとともに、黒色のベースカバー３および爪部７が外から見えず、外観を向上させるとともに、幅広い消費者のニーズに対応することができる。
【００２０】
【発明の効果】
本発明の請求項１に記載の発明によれば、埋設したヒータにより加熱されるベースと、前記ベースの上方に配設したベースカバーと、前記ベースカバーを覆うように配設され、上部に握り部を一体成形した把手体とを具備し、前記ベースカバーの側面に溝部を形成するとともに、前記把手体の内側面に突出した爪部を設け、前記把手体の内側面で前記把手体の前記爪部を前記ベースカバーの前記溝部へ嵌合させたものであり、これにより、把手体をベースカバーの下端まで構成する場合においても熱による把手体の広がりを抑えることができ、衣類の傷付防止を可能としている。同時に、ベースカバーの外側を把手体が覆うことにより耐衝撃性を向上させることでアイロン本体の損傷を防ぎ、長期間に亘る使用を可能とするものである。
【００２１】
本発明の請求項２に記載の発明によれば、請求項１に記載のアイロンにおいて、把手体をベースカバーに、その側面全周を覆うように外接させたものであり、これにより、把手体をベースカバーの下端まで構成する場合においても熱による把手体全周の広がりを抑えることができ、衣類の傷付防止を可能としているのみならず、ベースカバーの外側全周を把手体が覆うことにより、耐衝撃性を向上させることでアイロン本体の損傷を防ぎ、長期間に亘る使用を可能とするとともに、外観を向上させることができる。
【図面の簡単な説明】
【図１】本発明の実施例１のアイロンの側面図
【図２】同アイロンのベースカバーの溝部の平面図
【図３】同アイロンの図１におけるＡ−Ａ断面図
【図４】本発明の実施例２のアイロンの側面図
【図５】従来のアイロンの側面図
【図６】同アイロンの図５におけるＢ−Ｂ断面図
【図７】同アイロンの図５におけるＣ−Ｃ断面図
【符号の説明】
１　ヒータ
２　ベース
３　ベースカバー
４　把手体
５　握り部
６　溝部
７　爪部
【図１】
2004073710.tif 000003
【図２】
2004073710.tif 000004
【図３】
2004073710.tif 000005
【図４】
2004073710.tif 000006
【図５】
2004073710.tif 000007
【図６】
2004073710.tif 000008
【図７】
2004073710.tif 000009